(57)【要約】【課題】病院内において医療情報を管理するサーバに障害が発生しても、円滑に医療業務を継続することができる医療情報管理方法の提供を目的とする。【解決手段】医療情報入力端末４０が、利用者に入力された医療情報を、医療情報を管理する医療情報管理サーバ１０と医療情報を利用する業務サーバ５０とに送信する医療情報管理方法であって、医療情報の業務サーバ５０への送信の可否を判断する送信可否判断段階と、医療情報の送信が不可能な場合に医療情報に基づく書類を印刷させる印刷指示段階とを有することにより上記課題を解決する。【選択図】　　　　図２
2004094313.tif 000002
【特許請求の範囲】
【請求項１】
医療情報入力端末が、利用者に入力された医療情報を、前記医療情報を管理する医療情報管理サーバと前記医療情報を利用する業務サーバとに送信する医療情報管理方法であって、
前記医療情報入力端末が、前記医療情報の前記業務サーバへの送信の可否を判断する送信可否判断段階と、
前記医療情報入力端末が、前記医療情報の送信が不可能な場合に前記医療情報に基づく書類を印刷させる印刷指示段階と
を有することを特徴とする医療情報管理方法。
【請求項２】
医療情報管理サーバの少なくとも一部の機能を有する代替サーバが、医療情報入力端末から受信した医療情報を管理する医療情報管理方法であって、
前記代替サーバが、前記医療情報管理サーバの異常を検知する異常検知段階と、
前記代替サーバが、前記医療情報管理サーバの異常の検知に基づいて前記医療情報入力端末から送信される医療情報を、代替情報として蓄積する代替情報蓄積段階と、
前記代替サーバが、前記医療情報管理サーバの復旧を検知する復旧検知段階と、
前記代替サーバが、前記医療情報管理サーバの復旧の検知に基づいて、前記代替情報を前記医療情報管理サーバへ送信する代替情報送信段階と
を有することを特徴とする医療情報管理方法。
【請求項３】
サーバ監視端末が、医療情報を利用する業務サーバの状態を監視する医療情報管理方法であって、
前記サーバ監視端末が、前記業務サーバの状態を監視するサーバ監視段階と、
前記サーバ監視端末が、前記業務サーバの異常を検知する業務サーバ異常検知段階と、
前記サーバ監視端末が、前記業務サーバの異常の検知に基づいて、医療情報入力端末に以降に入力される医療情報の印刷を指示する印刷指示段階と
を有することを特徴とする医療情報管理方法。
【発明の詳細な説明】
【０００１】
【発明の属する技術分野】
本発明は、医療情報管理方法に関し、特にコンピュータを利用した医療情報管理方法に関する。
【０００２】
【従来の技術】
情報化が進んでいる病院では、診療情報を記載するためのカルテや投薬情報を記載するための紙片等が電子化されており、紙による情報伝達が不要となっている。診療を行った医師が、端末から診療情報や投薬情報、検査指示等の情報を入力すると、それらの情報は病院の窓口や薬剤所、その他関係各部に電子的に送信される。その情報に基づいて窓口では患者に対する診察料の請求を行い、薬剤所では薬の調剤、患者への薬の払い出しを行っている。
【０００３】
人命を扱う医療の場においては、上記の情報伝達が滞ることは許されない。従って、かかる環境を実現する情報処理システムのサーバは高い信頼性が要求される。一般にはサーバを主系サーバと待機系サーバとに二重化することによりシステムの信頼性を高め、それにより情報伝達の確実性を確保していた。
【０００４】
【発明が解決しようとする課題】
しかしながら、サーバを二重化してもサーバ稼働率を１００％にすることはできない。また、保守作業により短時間ながら主系サーバのみならず待機系サーバも含めてシステム全体を停止させる必要がある場合もある。そのような場合には円滑な情報伝達が損なわれるという問題があった。
【０００５】
本発明は、上記の点に鑑みてなされたものであって、病院内において医療情報を管理するサーバに障害が発生しても、円滑に医療業務を継続することができる医療情報管理方法の提供を目的とする。
【０００６】
【課題を解決するための手段】
そこで上記課題を解決するため、本発明は、医療情報入力端末が、利用者に入力された医療情報を、前記医療情報を管理する医療情報管理サーバと前記医療情報を利用する業務サーバとに送信する医療情報管理方法であって、前記医療情報入力端末が、前記医療情報の前記業務サーバへの送信の可否を判断する送信可否判断段階と、前記医療情報入力端末が、前記医療情報の送信が不可能な場合に前記医療情報に基づく書類を印刷させる印刷指示段階とを有することを特徴とする。
【０００７】
このような医療情報管理方法では、医療情報入力端末が、入力された医療情報の送信が不可能な場合に、医療情報に基づく書類を自動的に印刷できる。従って、印刷された書類を関連する部に送ることにより、病院内における情報伝達が滞ることなく円滑に医療業務を継続することができる。
【０００８】
また、上記課題を解決するため、本発明は、医療情報管理サーバの少なくとも一部の機能を有する代替サーバが、医療情報入力端末から受信した医療情報を管理する医療情報管理方法であって、前記代替サーバが、前記医療情報管理サーバの異常を検知する異常検知段階と、前記代替サーバが、前記医療情報管理サーバの異常の検知に基づいて前記医療情報入力端末から送信される医療情報を、代替情報として蓄積する代替情報蓄積段階と、前記代替サーバが、前記医療情報管理サーバの復旧を検知する復旧検知段階と、前記代替サーバが、前記医療情報管理サーバの復旧の検知に基づいて、前記代替情報を前記医療情報管理サーバへ送信する代替情報送信段階とを有することを特徴とする。
【０００９】
このような医療情報管理方法では、代替サーバが医療情報管理サーバに異常が発生した場合に、医療情報管理サーバの少なくとも一部の機能を代行できる。従って、病院内における情報伝達が滞ることなく円滑に医療業務を継続することができる。
【００１０】
また、上記課題を解決するため、本発明は、サーバ監視端末が、医療情報を利用する業務サーバの状態を監視する医療情報管理方法であって、前記サーバ監視端末が、前記業務サーバの状態を監視するサーバ監視段階と、前記サーバ監視端末が、前記業務サーバの異常を検知する業務サーバ異常検知段階と、前記サーバ監視端末が、前記業務サーバの異常の検知に基づいて、医療情報入力端末に以降に入力される医療情報の印刷を指示する印刷指示段階とを有することを特徴とする。
【００１１】
このような医療情報管理方法では、サーバ監視端末が業務サーバの異常を検知すると、医療情報入力端末に入力された医療情報が書類として自動的に印刷される。従って、印刷された書類を関連する部に送ることにより、病院内における情報伝達が滞ることなく円滑に医療業務を継続することができる。
【００１２】
また上記課題を解決するため、本発明は、上記医療情報管理方法での処理を実現する装置、又はその方法をコンピュータに行なわせるためのプログラム、前記プログラムを記録した記憶媒体としてもよい。
【００１３】
【発明の実施の形態】
以下、図面に基づいて本発明の実施の形態を説明する。
【００１４】
図１は、本発明による医療情報管理システムの一例の構成図を示す。図１の医療情報管理システム１は、医療情報管理サーバ１０と、代替サーバ２０と、管理者端末３０と、医療情報入力端末としての利用者端末４０と、検査用サーバ５０ａと、薬局用サーバ５０ｂとが、例えばＬＡＮ（Ｌｏｃａｌ　Ａｒｅａ　Ｎｅｔｗｏｒｋ）等のネットワーク６０を介して接続されている。
【００１５】
医療情報管理サーバ１０は、利用者端末４０から入力される患者の診療情報（カルテ）、薬の処方指示情報、検査指示情報及び検査結果情報等、医療業務に係る各種のデータを管理するサーバコンピュータであって、必要に応じて検査用サーバ５０ａや薬局用サーバ５０ｂ等の業務用サーバに各種情報を送信する。例えば、医療情報管理サーバ１０は、検査用サーバ５０ａに検査指示情報を送信し、薬局用サーバ５０ｂに薬の処方指示情報を送信する。
【００１６】
代替サーバ２０は、医療情報管理サーバ１０が何らかの原因、例えば保守作業や障害などにより処理の継続ができなくなった場合に医療情報管理サーバ１０の処理を代行するコンピュータである。但し、代替サーバ２０は医療情報管理サーバ１０と同等の機能を有していなくてもよく、医療情報管理サーバ１０の復旧作業が完了するまでの当面の業務に必要な情報の処理を行う。従って代替サーバ２０は、いわゆるサーバ機といわれる高価なハードウェアで構成する必要はなく、パソコン程度のハードウェアで構成すれば良い。
【００１７】
管理者端末３０は、医療情報管理システム１の管理者が利用するコンピュータである。管理者端末３０は、医療情報管理サーバ１０、検査用サーバ５０ａ及び薬局サーバ５０ｂ等を監視しており、それらのサーバに発生した異常を検知すると、後述する処理を行う。
【００１８】
利用者端末４０は、診療を行う医師や看護婦等、病院の職員が医療情報の登録や医療情報の参照を行うために利用されるコンピュータである。更に、利用者端末４０は、病院内の業務に係る各種の情報交換を行うために利用される。図１の医療情報管理システム１では一つのブロックとして利用者端末４０が表現されているが、複数の利用者端末４０が病院内に配置されている。また、利用者端末４０にはプリンタ７０が接続されている。プリンタ７０は利用者端末４０から入力されたデータを印刷するが、必ずしも利用者端末４０に直接接続されている必要はなく、ネットワーク６０を介して接続される図示しないプリンタサーバに接続しても良い。
【００１９】
検査用サーバ５０ａや薬局用サーバ５０ｂは、病院内の各部における業務に特化したサーバの一例である。例えば検査用サーバ５０ａは、検査に係る情報を管理する。薬局用サーバ５０ｂは、薬局における情報を管理する。このようなサーバは会計サーバ等他にも存在するが、以降は「部サーバ５０」と総称する。
【００２０】
次に、医療情報管理システム１の機能構成例について説明する。図２は、本発明による医療情報管理システムの一実施例の機能構成図を示す。図２において医療情報管理サーバ１０は、医療情報ＤＢ（Ｄａｔａ　Ｂａｓｅ）１１と、抽出テーブル１２と、データ抽出手段１３と、リカバリ手段１４と、エントリ手段１５とを有するように構成される。
【００２１】
医療情報ＤＢ１１には、利用者端末４０から入力される患者の診療情報（カルテ）、薬の処方指示情報、検査指示情報及び検査結果情報等、医療業務に係る各種のデータが格納されている。抽出テーブル１２には、医療情報ＤＢ１１に格納されているデータのうち、バックアップとして代替サーバ２０に転送するデータの種類が登録されている。データ抽出手段１３は、医療情報管理手段１０より抽出テーブル１２に登録されているデータを抽出し、抽出したデータを代替サーバ２０に転送するというバックアップ処理を行う。リカバリ手段１４は、代替サーバ２０に登録されているデータを受信し、受信したデータによって医療情報ＤＢ１１を最新の状態に更新する処理を実行する。エントリ手段１５は、利用者端末４０からの要求に従って医療情報ＤＢ１１に格納されているデータの登録、更新及び検索処理等を行う。
【００２２】
また、代替サーバ２０は、代替ＤＢ２１と、バックアップ手段２２と、代替データ転送手段２３と、代替エントリ手段２４とを有するように構成される。
【００２３】
代替ＤＢ２１は、医療情報ＤＢ１１の少なくとも一部のデータを管理する、代替用のデータベースである。バックアップ手段２２は、医療情報管理サーバ１０から送信されたバックアップデータを受信し、代替ＤＢ２１に登録する。代替データ転送手段２３は、医療情報管理サーバ１０が障害等から復旧すると、代替ＤＢ２１からデータを取り出して、医療情報管理サーバ１０に送信する。代替エントリ手段２４は、医療情報管理サーバ１０が障害等により利用できない場合に、医療情報管理サーバ１０のエントリ手段１５に代わる少なくとも一部の機能を利用者端末４０に提供する。
【００２４】
また、管理者端末３０は、システム監視手段３１と切り替え通知手段３２とを有するように構成される。
【００２５】
システム監視手段３１は、医療情報管理サーバ１０、部サーバ５０等を監視しており、それらのサーバに発生した異常を検知すると、後述する処理を行う。切り替え通知手段３２は、医療情報管理サーバ１０に障害が発生したとき、又は障害から復旧したときに利用者端末４０に対し、接続先のサーバを切り替える等の指示を行う。
【００２６】
また、利用者端末４０は、接続先管理テーブル４１と、端末用エントリ手段４２と、接続先切り替え手段４３と、印刷手段４４とを有するように構成される。
【００２７】
接続先管理テーブル４１は、利用者端末４０が医療情報管理サーバ１０又は代替サーバ２０のどちらのサーバに接続すべきかを管理する。端末用エントリ手段４２は、利用者端末４０の利用者の入力に従って、接続先管理テーブル４１に指定されているサーバ（医療情報管理サーバ１０又は代替サーバ２０）に対してデータの登録要求や、データの検索要求を行う。接続先切り替え手段４３は、管理者端末３０からの指示に従って接続先管理テーブル４１を更新することにより、利用者端末４０の接続先サーバを切り替える。印刷手段４４は、利用者端末４０に入力されたデータを所定の書類としてプリンタ７０に印刷させる。
【００２８】
なお、部サーバ５０は病院内の各部に置かれている各種のサーバを示す。
【００２９】
以下、図２の医療情報管理システム１の処理手順について説明していく。
【００３０】
先ずは、医療情報管理サーバ１０の医療情報ＤＢ１１で管理されているデータを代替管理サーバ２０の代替ＤＢ２１にバックアップする際の処理について説明する。図３は、データバックアップ処理の一実施例のフローチャートを示す。
【００３１】
ステップＳ１０において、医療情報管理サーバ１０のデータ抽出手段１３は、抽出テーブル１２から医療情報ＤＢ１１で管理されているデータの中で代替サーバ２０に送信するデータの種類を入手する。
【００３２】
図４は、抽出テーブルの一例の構成図を示す。図４の抽出テーブル１２においては、当日入院患者の情報、当日診療予定の患者の情報、過去３ヶ月分の患者の情報が抽出対象となっているのが分かる。抽出テーブル１２には、障害等により医療情報管理サーバ１０が利用できない間業務に支障がでないように、日常の業務において必要となる最低限のデータの種類だけ登録しておけば良い。なお、その他の情報もバックアップの対象としたい場合には、抽出テーブル１２にそのデータの種類を登録すれば良い。不要なものがある場合には抽出テーブル１２からそのデータの種類を削除すれば良い。
【００３３】
また、各患者の情報のうち特定の情報のみをバックアップの対象とする場合には、更に図５に示すテーブルを利用すれば良い。図５は、患者情報抽出テーブルの一例の構成図を示す。図５の患者情報抽出テーブル１２１では、各患者の情報として、処方情報、レントゲン指示情報、注射指示、処置指示、検体検査指示、生理検査指示、検査結果等の情報を抽出対象としている。従って、抽出テーブル１２と患者情報抽出テーブル１２１とを組み合わせることにより、当日入院患者、当日診療要諦の患者、過去３ヶ月分の患者について患者情報抽出テーブル１２１に登録されている情報をバックアップの対象とすることができる。
【００３４】
図３のステップＳ１０に続いてステップＳ１１に進み、データ抽出手段１３は、医療用情報ＤＢ１１から、抽出テーブル１２において抽出対象とされていたデータを抽出する。
【００３５】
ステップＳ１１に続いてステップＳ１２に進み、データ抽出手段１３は、医療情報ＤＢ１１から抽出したデータを代替サーバ２０に送信する。
【００３６】
ステップＳ１２に続いてステップＳ１３に進み、代替サーバ２０のバックアップ手段２２は、医療情報管理サーバ１０からのデータを受信する。
【００３７】
ステップＳ１３に続いてステップＳ１４に進み、バックアップ手段２２は、受信したデータを代替ＤＢ２１に登録し、処理が終了する。
【００３８】
上述した処理は定期的（例えば、毎日）に実行され、代替ＤＢ２１には日常業務において必要となるデータのみが登録される。
【００３９】
更に、医療情報管理サーバ１０に障害が発生した等の場合に、医療情報の管理処理を医療情報管理サーバ１０から代替サーバ２０に切り替える際の処理について説明する。図６は、代替サーバへの切り替え処理の一実施例のフローチャートを示す。
【００４０】
ステップＳ２０において、管理者端末３０のシステム監視手段３１は、医療情報管理サーバ１０の異常を検知する。ステップＳ２０に続いてステップＳ２１に進み、システム監視手段３１は、関連する部サーバ５０が接続可能か、即ち部サーバ５０に障害等が発生していないかどうかを確認する。ステップＳ２１に続いてステップＳ２２に進み、システム監視手段３１は、障害が発生している医療情報管理サーバ１０に処理の終了を指示する。これにより医療情報管理サーバ１０は処理を終了する。
【００４１】
ステップＳ２２に続いてステップＳ２３に進み、システム監視手段３１は、代替サーバ２０に対し、医療情報管理サーバ１０の処理を代行させるべく代替エントリ手段２４を起動する旨の指示を送信する。
【００４２】
ステップＳ２３に応じてステップＳ２４で、代替サーバ２０は、管理者端末３０の指示に基づいて処理代行の準備として代替エントリ手段２４を起動する。
【００４３】
管理者端末３０の処理は、ステップＳ２３に続いてステップＳ２５に進み、切り替え通知手段３２は、全ての利用者端末４０に対し、接続先を代替サーバ２０に切り替える旨の指示を送信する。この通知には、接続先のＩＰアドレス又はホスト名等、接続先を一意の特定する情報が含まれる。但し、利用者端末４０が、代替サーバ２０のＩＰアドレス等を予め知っている場合には、単に切り替える旨を通知するだけでも良い。
【００４４】
ステップＳ２５に応じてステップＳ２７に進み、利用者端末４０の接続先切り替え手段４３は、管理者端末３０から受信した切り替え指示に基づいて接続先管理テーブル４１を変更する。
【００４５】
図７は、接続先管理テーブルの一例の構成図を示す。
図７の接続先管理テーブル４１には、接続先サーバのＩＰアドレスとしてＸＸＸ．ＸＸＸ．ＸＸＸ．ＸＸＸが登録されている。利用者端末４０は、医療情報の参照や登録を行う際には接続先管理テーブル４１に登録されているサーバに接続する。通常は接続先管理テーブル４１には医療情報管理サーバ１０のＩＰアドレスが登録されているが、ステップＳ２７において代替サーバ２０のＩＰアドレスに変更されたため、以降は代替サーバ２０に接続することになる。
【００４６】
管理者端末３０の処理は、ステップＳ２５に続いてステップＳ２８に進み、切り替え通知手段３２は、全ての利用者端末４０に対し関連する部サーバ５０への接続の可否を送信する。ステップＳ２８に応じてステップＳ２９に進み、利用者端末４０の接続先切り替え手段４３は、関連する部サーバ５０への接続の可否情報を受信する。
【００４７】
管理者端末３０の処理は、ステップＳ２８に続いてステップＳ３０に進み、管理者端末３０の切り替え通知手段３２は、全ての利用者端末４０に対して印刷手段４４のプロセスを起動する旨の指示を送信する。ステップＳ３０に応じてステップＳ３１に進み、利用者端末４０は、印刷手段４４のプロセスを起動し、処理が終了する。
【００４８】
上述した処理により、以降においては医療情報管理サーバ１０の機能を代替サーバ２０が代行することになる。
【００４９】
更に、代替サーバ２０に処理を切り替えた後のエントリ処理について説明する。なお、エントリ処理とは、利用者端末４０が医療情報管理サーバ１０又は代替サーバ２０に接続することにより、医療情報の参照や登録を行う際の処理をいう。図８は、代替サーバへの切り替え後のエントリ処理の一実施例のフローチャートを示す。
【００５０】
ステップＳ４０において、利用者端末４０の端末用エントリ手段４２は、医師や看護婦等からの医療情報の入力を受け付ける。
【００５１】
ステップＳ４０に続いてステップＳ４１に進み、端末用エントリ手段４２は、接続先管理テーブル４１から接続先サーバのＩＰアドレスを取得する。ここでは接続先管理テーブル４１には代替サーバ２０のＩＰアドレスが登録されているため、代替サーバ２０のＩＰアドレスが取得される。
【００５２】
ステップＳ４１に続いてステップＳ４２に進み、端末用エントリ手段４２は、入力された入力データを代替サーバ２０に送信する。ステップＳ４２に続いてステップＳ４３に進み、代替サーバ２０の代替エントリ手段２４は、利用者端末４０から送信された入力データを受信する。
【００５３】
以降は、利用者端末４０と代替サーバ２０とでそれぞれ並行に処理が実行される。
【００５４】
先ず、代替サーバ２０ついて説明する。ステップＳ４３に続いてステップＳ４６に進み、代替エントリ手段２４は、受信した入力データを代替ＤＢ２１に登録する。ステップＳ４６に続いてステップＳ４７に進み、代替エントリ手段２４は、関連する部サーバ５０へ接続可能かどうかを管理者端末３０に問い合わせることにより判断する。例えば、利用者端末４０において検査指示に関する情報が入力された場合には検査用サーバ５０ａが、関連する部サーバ５０に該当し、薬の処方に関する情報が入力された場合は薬局用サーバ５０ｂが、関連する部サーバ５０に該当する。部サーバ５０に接続できない場合は代替エントリ手段２４は処理を終了し、接続できる場合はステップＳ４８に進む。
【００５５】
ステップＳ４８において、代替エントリ手段２４は関連する部サーバ５０に情報を伝達すべく必要なデータを送信し、処理を終了する。
【００５６】
次に、利用者端末４０について説明する。ステップＳ４２に続いてステップＳ４４に進み、端末用エントリ手段４２は、関連する部サーバ５０へ接続可能かどうかを管理者端末３０に問い合わせることにより判断する。部サーバ５０に接続できる場合、代替サーバ２０からステップＳ４８においてデータが送信されているため端末用エントリ手段４２は処理を終了する。部サーバ５０に接続できない場合はステップＳ４５に進む。
【００５７】
ステップＳ４５において、利用者端末４０の印刷手段４４は、入力データを所定の形式の書類としてプリンタ７０に印刷させる。ここで印刷されるのは、例えば患者のカルテ、処方箋、検査指示書等である。部サーバ５０へのデータ送信ができない場合はここで必要な書類が印刷されるので、印刷された書類を関係する部に送ることにより、他の部への情報伝達を行うことができ、業務の滞りを防ぐことができる。
【００５８】
なお、通常の場合、代替サーバ２０の処理は医療情報管理サーバ１０が実行する。また、上記では登録処理について説明したが、医療情報を利用者端末４０から参照する場合、通常の医療情報管理サーバ１０に接続している場合と異なり一部のデータ、即ちバックアップされているデータのみを参照することができる。但し、日常業務に必要な最低限のデータはバックアップされているため、業務に支障が出ることはない。
【００５９】
更に、医療情報管理サーバ１０が復旧した際のリカバリ処理について説明する。図９は医療情報管理サーバ復旧時のリカバリ処理の一実施例のフローチャートを示す。
【００６０】
ステップＳ５０において、管理者端末３０のシステム監視手段３１は医療情報管理サーバ１０の復旧を検知する。ステップＳ５０に続いてステップＳ５１に進み、システム監視手段３１は、代替サーバ２０に対して代替ＤＢ２１に格納されているデータを医療情報管理サーバ１０に転送する旨の指示を送信する。
【００６１】
ステップＳ５１に続いてステップＳ５２に進み、代替サーバ２０の代替データ転送手段２３は、管理者端末３０からの指示に基づいて代替ＤＢ２１に格納されているデータを医療情報管理サーバ１０に送信する。
【００６２】
ステップＳ５２に続いてステップＳ５３に進み、医療情報管理サーバ１０のリカバリ手段１４は、代替サーバ２０から送信されたデータを受信する。ステップＳ５３に続いてステップＳ５４に進み、リカバリ手段１４は、受信したデータを医療情報ＤＢ１１に登録し、医療情報ＤＢ１１を最新の状態に更新する。
【００６３】
代替サーバ２０においては、ステップＳ５２に続いてステップＳ５５に進み、医療情報管理サーバ１０へのデータ転送が完了した旨を管理者端末３０に送信する。
【００６４】
ステップＳ５５に続いてステップＳ５６に進み、管理者端末３０のシステム監視手段３１は、代替サーバ２０からの通知を受信する。ステップＳ５６に続いてステップＳ５７に進み、管理者端末３０の切り替え通知手段３２は、全ての利用者端末４０に対し接続先のサーバを医療情報管理サーバ１０に切り替える旨の指示を送信する。
【００６５】
ステップＳ５９において、利用者端末４０の接続先切り替え手段４３は、管理者端末３０から受信した切り替え指示に基づいて接続先管理テーブル４１を変更する。ここでは、接続先管理テーブル４１に医療情報管理サーバ１０のＩＰアドレスが登録される。
【００６６】
ステップＳ５９に続いてステップＳ６０に進み、管理者端末３０の切り替え通知手段３２は、全ての利用者端末４０に対し、印刷手段４４のプロセスを終了する旨の指示を送信する。
【００６７】
ステップＳ６０に続いてステップＳ６１に進み、利用者端末４０は印刷手段４４のプロセスを終了し、処理を終了する。以上により、情報管理サーバ１０の状態が最新状態になる。今後、利用者端末４０は、情報管理サーバ１０に接続してエントリ処理を実行することになる。
【００６８】
上述したように、本実施例においては、代替サーバ２０が当面の業務に必要な情報のみを管理し、また当面の業務に必要な機能のみを利用者端末４０に提供するため、パソコン等の安価なハードウェアで構成することができる。従って、コストを低く抑えることが出来ると共に医療情報管理システム１の信頼性を高めることも出来る。更に、情報の伝達が必要な部サーバ５０に障害が発生した場合には、利用者端末４０において自動的に必要な書類が印刷さるため、その書類を情報伝達媒体とすることにより、医療業務を円滑に遂行することができる。
【００６９】
以上、本発明の好ましい実施例について詳述したが、本発明は上記の実施形態に限定されるものではなく、特許請求の範囲に記載された本発明の要旨の範囲内において、種々の変形・変更が可能である。
【００７０】
なお、以上の説明に関して更に以下の付記を開示する。
（付記１）　医療情報入力端末が、利用者に入力された医療情報を、前記医療情報を管理する医療情報管理サーバと前記医療情報を利用する業務サーバとに送信する医療情報管理方法であって、
前記医療情報入力端末が、前記医療情報の前記業務サーバへの送信の可否を判断する送信可否判断段階と、
前記医療情報入力端末が、前記医療情報の送信が不可能な場合に前記医療情報に基づく書類を印刷させる印刷指示段階と
を有することを特徴とする医療情報管理方法。
（付記２）　前記医療情報入力端末は、前記医療情報の前記医療情報管理サーバへの送信が不可能な場合には、前記医療情報管理サーバの少なくとも一部の機能を有する代替サーバと前記業務サーバとに、前記医療情報の少なくとも一部を送信することを特徴とする付記１記載の医療情報管理方法。
（付記３）　医療情報管理サーバの少なくとも一部の機能を有する代替サーバが、医療情報入力端末から受信した医療情報を管理する医療情報管理方法であって、
前記代替サーバが、前記医療情報管理サーバの異常を検知する異常検知段階と、
前記代替サーバが、前記医療情報管理サーバの異常の検知に基づいて前記医療情報入力端末から送信される医療情報を、代替情報として蓄積する代替情報蓄積段階と、
前記代替サーバが、前記医療情報管理サーバの復旧を検知する復旧検知段階と、
前記代替サーバが、前記医療情報管理サーバの復旧の検知に基づいて、前記代替情報を前記医療情報管理サーバへ送信する代替情報送信段階と
を有することを特徴とする医療情報管理方法。
（付記４）　前記代替サーバは、前記医療情報管理サーバに蓄積されている前記医療情報の少なくとも一部を前記医療情報管理サーバから転送情報として受信する転送情報受信段階と、
前記転送情報を格納する転送情報格納段階と
を少なくとも前記異常検知段階より前に有することを特徴とする付記３記載の医療情報管理方法。
（付記５）　サーバ監視端末が、医療情報を利用する業務サーバの状態を監視する医療情報管理方法であって、
前記サーバ監視端末が、前記業務サーバの状態を監視するサーバ監視段階と、前記サーバ監視端末が、前記業務サーバの異常を検知する業務サーバ異常検知段階と、
前記サーバ監視端末が、前記業務サーバの異常の検知に基づいて、医療情報入力端末に以降に入力される医療情報の印刷を指示する印刷指示段階と
を有することを特徴とする医療情報管理方法。
（付記６）　前記サーバ監視段階は、前記医療情報入力端末に入力された医療情報を管理する医療情報管理サーバの状態を更に監視し、
前記医療情報管理サーバの異常の検知に基づいて、前記医療情報入力端末に入力された医療情報の送信先を、前記医療情報管理サーバから前記医療情報管理サーバの少なくとも一部の機能を有する代替サーバに切り替えることを特徴とする付記５記載の医療情報管理方法。
（付記７）　コンピュータに、
利用者から入力された医療情報を、前記医療情報を利用する業務サーバに送信可能か否かを判断する送信可否判断手順と、
前記医療情報を前記業務サーバに送信できないと判断すると、前記医療情報に基づく書類を所定の印刷手段に印刷させる印刷指示手順と
を実行させるための医療情報管理プログラム。
（付記８）　コンピュータに、
医療情報入力端末から受信した医療情報を管理する医療情報管理サーバの異常を検知する異常検知手順と、
前記医療情報管理サーバの異常の検知に基づいて医療情報入力端末から送信される医療情報を、代替情報として蓄積する代替情報蓄積手順と、
前記医療情報管理サーバの復旧を検知する復旧検知手順と、
前記医療情報管理サーバの復旧の検知に基づいて、前記代替情報を前記医療情報管理サーバへ送信する代替情報送信手順と
を実行させるための医療情報管理プログラム。
（付記９）　コンピュータに、
医療情報を利用する前記業務サーバの状態を監視するサーバ監視手順と、
前記業務サーバの異常を検知する業務サーバ異常検知手順と、
前記業務サーバの異常の検知に基づいて、医療情報入力端末に以降に入力される医療情報の印刷を指示する印刷指示手順と
を実行させるための医療情報管理プログラム。
（付記１０）　コンピュータに、
利用者から入力された医療情報を、前記医療情報を利用する業務サーバに送信可能か否かを判断する送信可否判断手順と、
前記医療情報を前記業務サーバに送信できないと判断すると、前記医療情報に基づく書類を所定の印刷手段に印刷させる印刷指示手順と
を実行させるための医療情報管理プログラムを記録したコンピュータ読み取り可能な記録媒体。
（付記１１）　コンピュータに、
医療情報入力端末から受信した医療情報を管理する医療情報管理サーバの異常を検知する異常検知手順と、
前記医療情報管理サーバの異常の検知に基づいて医療情報入力端末から送信される医療情報を、代替情報として蓄積する代替情報蓄積手順と、
前記医療情報管理サーバの復旧を検知する復旧検知手順と、
前記医療情報管理サーバの復旧の検知に基づいて、前記代替情報を前記医療情報管理サーバへ送信する代替情報送信手順と
を実行させるための医療情報管理プログラムを記録したコンピュータ読み取り可能な記録媒体。
（付記１２）　コンピュータに、
医療情報を利用する前記業務サーバの状態を監視するサーバ監視手順と、
前記業務サーバの異常を検知する業務サーバ異常検知手順と、
前記業務サーバの異常の検知に基づいて、医療情報入力端末に以降に入力される医療情報の印刷を指示する印刷指示手順と
を実行させるための医療情報管理プログラムを記録したコンピュータ読み取り可能な記録媒体。
【００７１】
【発明の効果】
上述の如く、本発明によれば、病院内において医療情報を管理するサーバに障害が発生しても、円滑に医療業務を継続することができる。
【図面の簡単な説明】
【図１】本発明による医療情報管理システムの一例の構成図である。
【図２】本発明による医療情報管理システムの一実施例の機能構成図である。
【図３】データバックアップ処理の一実施例のフローチャートである。
【図４】抽出テーブルの一例の構成図である。
【図５】患者情報抽出テーブルの一例の構成図である。
【図６】代替サーバへの切り替え処理の一実施例のフローチャート図である。
【図７】接続先管理テーブルの一例の構成図である。
【図８】代替サーバへの切り替え後のエントリ処理の一実施例のフローチャートである。
【図９】医療情報管理サーバ復旧時のリカバリ処理の一実施例のフローチャートである。
【符号の説明】
１　　医療情報管理システム
１０　　医療情報管理サーバ
１１　　医療情報ＤＢ
１２　　抽出テーブル
１３　　データ抽出手段
１４　　リカバリ手段
１５　　エントリ手段
２０　　代替サーバ
２１　　代替ＤＢ
２２　　バックアップ手段
２３　　代替データ転送手段
２４　　代替エントリ手段
３０　　管理者端末
３１　　システム監視手段
３２　　切り替え通知手段
４０　　利用者端末
４１　　接続先管理テーブル
４２　　端末用エントリ手段
４３　　接続先切り替え手段
４４　　印刷手段
５０　　部サーバ
５０ａ　　検査用サーバ
５０ｂ　　薬局用サーバ
６０　　ネットワーク
７０　　プリンタ
【図１】
2004094313.tif 000003
【図２】
2004094313.tif 000004
【図３】
2004094313.tif 000005
【図４】
2004094313.tif 000006
【図５】
2004094313.tif 000007
【図６】
2004094313.tif 000008
【図７】
2004094313.tif 000009
【図８】
2004094313.tif 000010
【図９】
2004094313.tif 000011